(57)【特許請求の範囲】
【請求項１】
直流電力を交流電力へ変換した後、当該交流電力を出力線を介して商用電力系統へ供給
するインバータ回路と、
前記出力線に介在し、前記商用電力系統と前記インバータ回路との接続／解列を行う系
統連系用リレーと、
前記出力線から分岐された２本の配線に介在し、前記インバータ回路と負荷との接続／
解列を行う自立運転用リレーと、
前記系統連系用リレーを解列して前記商用電力系統と前記インバータ回路とを切り離す
と共に、前記自立運転用リレーを接続して前記２本の配線を介して供給される前記交流電
力を負荷へ供給するときに、前記２本の配線を夫々前記商用系統の接地の電位と同電位に
接地する抵抗とを備える
ことを特徴とする系統連系装置。
【請求項２】
前記インバータ回路は、前記商用電力系統と前記インバータ回路とを連系する場合に、
直流電力をＵ相、Ｖ相、Ｗ相を有する三相の交流電力へ変換してＵ相線、Ｖ相線、Ｗ相線
からなる前記出力線に出力し、
前記２本の配線は、前記３本の出力線の内２本の出力線から分岐すると共に前３本の出
力線のうち残りの１本の出力線を接地することを特徴とする請求項１に記載の系統連系装
置。
【請求項３】
前記自立運転用リレーは、前記抵抗が前記配線に接続される接続点よりもインバータ
回路側の前記配線に介在することを特徴とする請求項１又は請求項２に記載の系統連系装
置。
【請求項４】
前記２本の配線と前記抵抗とを導通／遮断するスイッチ素子を備え、
前記商用電力系統と前記インバータ回路とが連系運転を行う場合に、前記スイッチ素子
を遮断し、前記自立運転を行う場合に前記スイッチ素子を導通することを特徴とする請求
項１又は請求項２に記載の系等連系装置。
【請求項５】
前記２本の配線に接続される夫々の抵抗の抵抗値は同じ値であることを特徴とする請求
項１乃至請求項４の何れかにに記載の系統連系装。
【発明の詳細な説明】
【技術分野】
【０００１】
本発明は、太陽電池、燃料電池、或いは蓄電池等の直流電源から出力される直流電力を交流電力に変換して、この交流電力を商用系統へ重畳する系統連系装置に関する。
【背景技術】
【０００２】
従来より、太陽電池、燃料電池、或いは蓄電池等の直流電源が出力する直流電力を交流電力に変換し、系統連系用リレーを介して商用電力系統へ連系する系統連系装置が提供されている。【０００３】
系統連系装置は、インバータ回路、フィルタ回路、系統連系用リレー、及び制御回路等からなる。インバータ回路は、直流電源から出力される直流電力を交流電力へ変換し、該交流電力を出力線に出力する。フィルタ回路は、フィルタ用コンデンサを有し、インバータ回路の出力電流の一部を出力線からフィルタ用コンデンサに流し、出力電流の高調波成分を除去した電流を出力線に流す。系統連系用リレーは、フィルタ回路と商用電力系統との間に接続され、その開閉により直流電源と商用電力系統との解列／接続を行う。制御回路は、マイコンから成り、インバータ回路及び系統連系用リレーに信号を与え、インバータ回路及び系統連系用リレーの動作の制御を行う。【０００４】
また、系統連系装置には、商用電力系統が停電した場合に、商用電力系統と切り離して負荷へ供給する自立運転を行うものがある（特許文献１）。このような系統連系装置は、出力線から分岐する２本の配線に、自立運転用のリレーを介して負荷を接続している。そして、自立運転する場合は、系統連系用リレーを開いて商用電力系統と系統連系装置とを切り離し、自立運転用リレーを閉じて２本の配線に単相の交流電力を供給する。これにより、この２本の配線に接続される負荷に電力が供給され、ユーザーはこの負荷を利用できるようになる。
【特許文献１】特開２００３−８７９７８号公報
【０００５】
また、特許文献１に記載の系統連系装置は、この際に交流電力が出力される２本の配線の内１本を接地することにより、この２本の配線の対地間電圧を小さくしている。
【発明の開示】
【発明が解決しようとする課題】
【０００６】
しかしながら、従来の系統連系装置では、２本の配線の内１本を接地しているため、接地していない配線の対地間電圧は、インバータ回路から供給される交流電力の電圧と等しくなり、インバータ回路から供給される交流電力の振幅と等しくなる。
この自立運転を行う場合に交流電力が供給される２本の配線の対地間電圧が低いほど負荷を安全に利用できるようになる。【０００７】
本発明は上述の問題に鑑みて成された発明であり、自立運転を行う場合に交流電力が供給される２本の配線の対地間電圧を低くすることができる系統連系装置を提供することを目的とする。
【課題を解決するための手段】
【０００８】
上記目的を達成するために、直流電力を交流電力へ変換し、該交流電力を出力線に出力するインバータ回路と、前記出力線に介在し、商用電力系統と前記インバータ回路との接続／解列を行う系統連系用リレーと、前記出力線から分岐し、自立運転用リレーを介して負荷と接続され、前記商用電力系統から前記インバータ回路を切り離して前記負荷へ電力を供給する自立運転を行う場合に前記インバータ回路から単相の交流電力が供給される２本の配線と、を備え、前記自立運転を行うときは、前記系統連系用リレーを解列し、前記自立運転用リレーを接続して、前記２本の配線を、夫々抵抗を介して接地することを特徴とする。【０００９】
本発明によれば、２本の配線を、夫々抵抗を介して接地するため、これらの抵抗により２本の配線は分圧されて接地することになる。これにより、２本の配線の対地間電圧は、これらの抵抗の分圧比の分、インバータ回路から出力される電圧よりも小さくすることができる。【００１０】
また、上述の発明において、前記インバータ回路は、前記商用電力系統と前記インバータ回路とを連系する場合に、直流電力をＵ相、Ｖ相、Ｗ相を有する三相の交流電力へ変換してＵ相線、Ｖ相線、Ｗ相線からなる前記出力線に出力し、前記２本の配線は、前記３本の出力線の内２本の出力線から分岐することを特徴とする。【００１１】
また、上述の発明において、前記自立運転用リレーは、前記抵抗が前記配線に接続される接続点よりもインバータ回路側の前記配線に介在することを特徴とする。【００１２】
また、上述の発明において、前記配線と前記抵抗とを導通／遮断するスイッチ素子を備え、前記商用電力系統と前記インバータ回路とが連系運転を行う場合に、前記スイッチ素子を遮断し、前記自立運転を行う場合に前記スイッチ素子を導通することを特徴とする。【００１３】
また、上述の発明において、前記２本の配線に接続される夫々の抵抗の抵抗値は同じ値であることを特徴とする。
【発明の効果】
【００１４】
本発明によれば、自立運転を行う場合に交流電力が供給される２本の配線の対地間電圧を低くすることができる系統連系装置を提供することができる。
【図面の簡単な説明】
【００１５】
【図１】第１の実施形態に係る太陽光発電システム１００を示す構成図である。
【図２】第２の実施形態に係る自立運転用配線の接地を示す構成図である。
【図３】第３の実施形態に係る太陽光発電システム１００を示す構成図である。
【図４】切替式の接片を有するリレーを用いた場合の接続を示す図である。
【発明を実施するための最良の形態】
【００１６】
（第１の実施形態）
以下、図面に基づき本発明の第１の実施形態を詳述する。図１は第１の実施形態に係る太陽光発電システム１００を示す構成図である。この図に示すように太陽光発電システム１００は、太陽電池１（直流電源）、系統連系装置２を備える。【００１７】
系統連系装置２は、昇圧回路４、インバータ回路５、フィルタ回路６、系統連系用リレー７、自立運転用リレー８、制御回路９、配線Ｌａ、Ｌｂ、３本の出力線Ｌｕ、Ｌｖ、Ｌｗを備える。系統連系装置２は、系統連系用リレー７を介してインバータ回路５の出力する三相の交流電力を商用電力系統３へ重畳する連系運転を行う。また、商用電力系統３が停電している場合は、インバータ回路５と商用電力系統３とを切り離して負荷１０へ単相の交流電力を供給する自立運転を行う。【００１８】
商用電力系統３は、図１に示すようにＵ相、Ｖ相、Ｗ相を有するＶ結線の商用電力系統であり、Ｖ相が接地されている。Ｕ相は、Ｖ相よりも１２０°進んだ位相を有し、Ｗ相はＶ相よりも１２０°遅れた位相を有する。【００１９】
昇圧回路４は、太陽電池１から出力された直流電圧を昇圧する。そして、昇圧回路４は、この昇圧した直流電圧をインバータ回路５へ出力する。昇圧回路４は、図１に示すように、リアクトル４１、ＩＧＢＴ（絶縁ゲートバイポーラトランジスタ）のようなスイッチ素子４２、及びダイオード４３を有して構成される。昇圧回路４の入力側には、太陽電池１が接続され、太陽電池１の正極と直列にリアクトル４１とダイオード４３とが接続される。スイッチ素子４２は、リアクトル４１及びダイオード４３の接続点と太陽電池１の負極との間に接続され、その間を開閉する。【００２０】
昇圧回路４は、制御回路９によって動作が制御される。具体的には、制御回路９がＯＮデューティ比を決定し、そのデューティ比を有するパルス信号をスイッチ素子４２のゲートに周期的に与える。すると、スイッチ素子４２は、周期的に開閉し、昇圧回路４は、デューティ比に応じた所定の昇圧比を得る。【００２１】
インバータ回路５は、２つのコンデンサ５１、５２、及び複数のスイッチ素子５３〜５６を有し、昇圧回路４を介して太陽電池１から出力される直流電力を三相の交流電力へ変換する。コンデンサ５１と５２は、直列に接続されて直列回路を成している。この直列回路は、ダイオード４３と太陽電池１の負極とに接続される。また、スイッチ素子５３とスイッチ素子５４は直列接続され第１アーム回路を成しており、スイッチ素子５５とスイッチ素子５６は直列接続され第２アーム回路を成している。インバータ回路５は、コンデンサ５１、５２による直列回路、第１アーム回路、及び第２アーム回路を並列に接続し、三相のハーフブリッジとして動作する。また、直列回路の２つのコンデンサ５１、５２の接続点はＶ相線Ｌｖに接続され、第１アーム回路の２つのスイッチング素子５３、５４の接続点はＵ相線Ｌｕに接続され、第２アーム回路の２つのスイッチング素子５５、５６の接続点は、Ｗ相線Ｌｗに接続される。【００２２】
インバータ回路５のスイッチ素子５３〜５６には、ＩＧＢＴのようなスイッチ素子を用いると良い。インバータ回路５は、制御回路９によってその動作が制御される。インバータ回路５の動作については後述する。【００２３】
フィルタ回路６は、リアクトル６１、６２、及び３つのフィルタ用コンデンサ６３ａ、６３ｂ、６３ｃを有する。また、フィルタ回路６は、スイッチ素子５１及びスイッチ素子５２の接続点と、スイッチ素子５３及びスイッチ素子５４の接続点と、コンデンサ３ａ及びコンデンサ３ｂの接続点とに接続される（インバータ回路５の出力側に設けられる）。具体的には、Ｕ相線Ｌｕにリアクトル６１が介在し、Ｗ相線Ｌｗにリアクトル６２が介在している。各フィルタ用コンデンサ６３ａ、６３ｂ、６３ｃは３本の出力線Ｌｕ、Ｌｖ、Ｌｗの夫々の間に結線される。また、各フィルタ用コンデンサ６３ａ〜６３ｃは等しい容量のコンデンサが用いられる。フィルタ回路６は、インバータ回路５の出力電流をフィルタ用コンデンサ６３ａ、６３ｂ、６３ｃに流れるコンデンサ電流と、出力線Ｌｕ、Ｌｖ、Ｌｗに流れるフィルタ電流とに分ける。これにより、インバータ回路５の出力電流の高調波成分が除去されたフィルタ電流が、フィルタ回路６より商用電力系統３側の出力線Ｌｕ、Ｌｖ、Ｌｗに流れ、商用電力系統３０に供給される。【００２４】
系統連系用リレー７は、商用電力系統３に接続される出力線Ｌｕ、Ｌｖ、Ｌｗに介在（フィルタ回路６と商用電力系統３との間に介在）する接片により出力線Ｌｕ、Ｌｖ、Ｌｗの開閉を行う。この系統連系用リレー７は、制御回路９からの制御信号によって閉状態と開状態が制御され、インバータ回路５と商用系統３０とを接続（連系）または解列するものである。【００２５】
自立運転用リレー８は、Ｕ相線Ｌｕ、及びＷ相線Ｌｗから夫々分岐する配線Ｌａ、Ｌｂに介在する接片により配線Ｌａ、Ｌｂの開閉を行う。この自立運転用リレー８は、制御回路９からの制御信号によって閉状態と開状態が制御され、インバータ回路５と負荷１０とを接続または解列するものである。また、配線Ｌａ、Ｌｂは、夫々抵抗１１、１２を介して接地されており、自立運転用リレーが、抵抗１１、１２が配線Ｌａ、Ｌｂに接続される接続点よりもインバータ回路５側の配線Ｌａ、Ｌｂに介在する。これにより、インバータ回路５と負荷１０とを接続するとき（自立運転を行うとき）に配線Ｌａ、Ｌｂは、抵抗を介して接地される。抵抗１１と抵抗１２は、抵抗値が同じ値の抵抗を用いると良い。【００２６】
制御回路９は、上述したように、昇圧回路４、インバータ回路５、系統連系用リレー７、及び自立運転用リレー８の動作を制御する。制御回路９は、インバータ回路５と商用電力系統３とを接続して連系運転を行う場合に、系統連系用リレー７を接続し、自立運転用リレーを解列する。また、制御回路９は自立運転を行う場合に、系統連系用リレー７を解列し、自立運転用リレーを接続する。【００２７】
制御回路９は、太陽電池の出力電力が最大になるように昇圧回路４をＭＰＰＴ動作させる。ＭＰＰＴ動作は、昇圧回路の入力電流Ｉｉｎと、昇圧回路の入力電圧Ｖｉｎにより電力Ｐｎを演算し、電力Ｐｎが最大になるよう昇圧回路の昇圧比を調整することにより行う。【００２８】
制御回路９は、連系運転を行う場合と、自立運転を行う場合とでインバータ回路５の動作を変える。制御回路９は、連系運転を行う場合は、インバータ回路５を、ＰＷＭ（Pulse Width Modulation）制御にしたがって各スイッチ素子５３〜５６を周期的に導通／遮断し、太陽電池から出力される直流電力を三相の交流電力に変換する。これにより、インバータ回路５は、変換した三相の交流電力を３本の出力線Ｌｕ、Ｌｖ、Ｌｗに出力する。【００２９】
連系運転を行う場合のＰＷＭ制御は、フィルタ回路６より後段のＵ相線Ｌｕを流れる電流（以下、Ｕ相線電流Ｉｕ）とフィルタ回路６より後段のＷ相線Ｌｕを流れる電流（以下、Ｗ相線電流Ｉｗ）とを検出し、線電流Ｉｕ、Ｉｗが、夫々目標値Ｉｕｔ、Ｉｗｔになるような電流制御により行われる。具体的には、第１アーム回路のスイッチ素子５３、５４のスイッチングのタイミングは、線電流Ｉｕに基づいて決定され、第２アーム回路のスイッチングのタイミングは、線電流Ｉｗに基づいて決定される。即ち、制御回路９は、各アーム回路毎に指令値Ｉｕｔ、Ｉｗｔを作成し、各アーム回路のスイッチ素子のスイッチタイミングを制御する。【００３０】
制御回路９は、自立運転を行う場合は、インバータ回路５を、ＰＷＭ（Pulse Width Modulation）制御にしたがって各スイッチ素子５３〜５６を周期的に導通／遮断し、太陽電池から出力される直流電力を単相の交流電力に変換する。これにより、インバータ回路５は、変換した単相の交流電力をＵ相線ＬｕとＷ相線Ｌｗとに出力する。【００３１】
自立運転を行う場合のＰＷＭ制御は、フィルタ回路６より後段のＵ相線ＬｕとＷ相線Ｌｗとに印加される電圧Ｖ（或いは、配線Ｌａ、Ｌｂ間の電圧）を検出し、この電圧Ｖが、目標値Ｖｔになるような電圧制御により行われる。具体的には、第１アーム回路のスイッチ素子５３、５４、及び第２アーム回路のスイッチ素子５５、５６のスイッチングのタイミングは、電圧Ｖに基づいて決定される。即ち、制御回路９は、両第１、第２アーム回路に共通の指令値Ｖｔを作成し、両第１、第２アーム回路のスイッチ素子のスイッチタイミングを制御する。【００３２】
系統連系装置２は、このようにして、自立運転を行う場合に、第１アーム回路の出力と第２アーム回路による出力とを用いて単相交流電力を出力するものであり、インバータ回路５を、第１アーム回路、及び第２アーム回路による単相フルブリッジとして動作させて単相の交流電力を生成することになる。【００３３】
以上のように、第１の実施形態によれば２本の配線Ｌａ、Ｌｂを、夫々抵抗を介して接地するため、これらの抵抗１１、１２により２本の配線Ｌａ、Ｌｂは分圧されて接地することになる。これにより、２本の配線Ｌａ、Ｌｂの対地間電圧は、これらの抵抗の分圧比分だけインバータ回路５から出力される電圧よりも小さくすることができる。【００３４】
また、第１の実施形態では、抵抗１１と抵抗１２の抵抗値を同じ値にしているため、各配線Ｌａ、Ｌｂと大地との間に係る電圧は、自立運転時にインバータ回路の出力する電圧の半分に抑えることができ、各配線Ｌａ、Ｌｂと大地との間にかかる電圧を、本方式を用いた中で一番小さくすることができる。【００３５】
また、第１の実施形態において、抵抗１１、１２が配線Ｌａ、Ｌｂに接続される接続点よりも自立運転用リレー８はインバータ回路側の前記配線に介在するようにしている。これにより、連系運転中に抵抗１１、１２がインバータ回路５から切り離されることになり、抵抗１１、１２による電力消費が無くなり効率が良くなる。【００３６】
また、第１の実施形態によれば、自立運転時には三相の交流電力ではなく、単相の交流電力を供給するため、単相の交流電力にて動作する負荷を容易に利用することができる。【００３７】
また、連系運転時には、商用電力系統３のＶ相が接地されているため、出力線Ｌｕ、Ｌｖ、Ｌｗの対地間電圧は安定する。しかし、配線Ｌａ、Ｌｂを接地しないで自立運転を行うと、出力線Ｌｕ、Ｌｖ、Ｌｗの対地間電圧は、太陽電池の浮遊容量に大きく左右され不安定になる。Ｖ相線Ｌｖを接地することで、自立運転時に出力線Ｌｕ、Ｌｖ、Ｌｗの対地間電圧を安定にする方法も考えられるが、第１の実施形態のようにインバータ回路５にトランスレスのインバータ回路を用いると、連系時にＶ相線Ｌｖに電流が流れなくなるため、Ｖ相線Ｌｖを接地することができない。第１の実施形態のように、自立運転を行うときに、２本の配線を、夫々抵抗を介して接地すると、配線Ｌａ、Ｌｂに接続される出力線Ｌｕ、Ｌｖ、Ｌｗの対地間電圧が安定する。このため、連系運転を行う場合でも自立運転を行う場合でも、出力線Ｌｕ、Ｌｖ、Ｌｗの対地間電位が安定することになる。【００３８】
（第２の実施形態）
第１の実施形態では、自立運転用リレー８が、抵抗１１、１２が配線Ｌａ、Ｌｂに接続される接続点よりもインバータ回路５側の配線Ｌａ、Ｌｂに介在する例を挙げた。第２の実施形態では、自立運転用リレーが、抵抗１１、１２が配線Ｌａ、Ｌｂに接続される接続点よりも商用電力系統３側の配線Ｌａ、Ｌｂに介在する例を挙げる。【００３９】
図２は、第２の実施形態に係る自立運転用配線Ｌａ、Ｌｂの接地を示す構成図である。図に示すように、自立運転用リレー８は、抵抗１１、１２が配線Ｌａ、Ｌｂに接続される接続点よりも商用電力系統３側の配線Ｌａ、Ｌｂに介在する。また、抵抗１１と配線Ｌａとを導通／遮断するスイッチ回路１３が設けられており、抵抗１１と配線Ｌｂとを導通／遮断するスイッチ回路１４が設けられている。【００４０】
スイッチ回路１３、１４は、自立運転用リレー８と同じタイミングで導通／遮断が行われる。即ち、連系運転を行う場合は、スイッチ回路１３、１４を遮断状態になり、自立運転を行う場合には接続状態になる。この様にすることにより、第１の実施例と同様に、連系運転時に、インバータ回路５と抵抗１３、１４が切り離されるため、抵抗１１、１２による電力消費が無くなり効率が良くなる。尚、スイッチ回路１３、１４の動作は制御回路９により制御される。【００４１】
また、第２の実施例において、自立運転を開始する際に、スイッチ回路１３、１４を遮断状態から導通状態にした後、インバータ回路５により単相の交流電力の作成を開始し、その後に自立運転用リレー８を解列状態から接続状態にすると良い。【００４２】
これにより、大地と配線Ｌａ、Ｌｂとが接地されている状態で、インバータ回路５を動作し、負荷への電力を供給することができるため、負荷への負担を減らすことができる。【００４３】
また、第２の実施形態において、スイッチ回路１３、１４を設けて、連系運転中はインバータ回路５と抵抗１１、１２とを切り離すようにしたが、自立運転を行うときに、配線Ｌａ、Ｌｂを夫々抵抗１１、１２を介して接地できれば良いので、スイッチ回路１３、１４が無く、抵抗１１、１２を夫々配線Ｌａ、Ｌｂと接続しても良い。【００４４】
（第３の実施形態）
第１の実施形態、及び第２の実施形態では、系統連系装置２にインバータ回路５に三相のインバータ回路を用いる例を示した。第３の実施形態では、インバータ回路５に単相インバータ回路５ａを用いる系統連系装置２ａの例を示す。【００４５】
図３は、第３の実施形態における太陽光発電システム１００を示す図である。単相のインバータ回路５ａは、コンデンサ５１、５２の代わりにコンデンサ５７が用いられ、コンデンサ５７は、第１アーム回路、及び第２アーム回路と並列接続される。所謂、フルブリッジ型のインバータ回路を用いる。また、第１アーム回路、及び第２アーム回路には、２本の出力線Ｌ１とＬ２が夫々接続される。インバータ回路５ａは直流電力を単相の交流電力に変換してこの２本の出力線Ｌ１、Ｌ２に出力する。インバータ回路５ａの制御は制御回路９が行う。【００４６】
このインバータ回路５ａにより、系統連系装置２ａは、連系運転を行う場合は、単相の交流電力を商用電力系統３ａに供給し、自立運転を行う場合は、単相の交流電力を負荷１０へ供給する。【００４７】
フィルタ回路には、リアクトル６１、リアクトル６２、コンデンサ６３から成るフィルタ回路６ａを用いる。リアクトル６１は出力線Ｌ１に介在し、リアクトル６２は出力線Ｌ２に介在する。コンデンサ５７は、リアクトル６１、６２が介在する出力線Ｌ１、Ｌ２の商用電力系統３側を接続する。これにより、インバータ回路５ａから出力される交流電力の高調波成分を除去する。２本の出力線Ｌ１、Ｌ２は、このフィルタ回路６ａと系統連系用リレー７とを介して単相の三線式の商用電力系統３ｂに接続される。【００４８】
配線Ｌａ、Ｌｂは、フィルタ回路６ａよりも商用電力系統側の出力線Ｌ１、Ｌ２から分岐する。配線Ｌａ、Ｌｂが分岐した先の接続は第１の実施形態、及び第２の実施形態と同様の構成を用いることができるため説明は省略する。【００４９】
以上のように、本発明は、単相インバータ回路５ａについても適用することができる。【００５０】
以上、本発明の一実施形態について説明したが、以上の説明は本発明の理解を容易にするためのものであり、本発明を限定するものではない。本発明はその趣旨を逸脱することなく、変更、改良され得ると共に本発明にはその等価物が含まれることは勿論である。 【００５１】
例えば、本実施形態において、直流電源として太陽電池１を利用する例を挙げたが、例えば、燃料電池や蓄電池など、その他の直流電源を利用することもできる。【００５２】
また、本実施形態では、系統連系用リレー７と自立運転用リレー８とに開閉式の接片を有するリレーを用いる例を説明したが、複数の出力経路の内１つを選択して切り替える切替式の接片を有するリレーを用いても良い。図４は切替式の接片を有する切替式リレー７０を用いた場合の接続を示す図である。図４（ａ）は切替式の接片を有するリレーを三相交流電力を出力するインバータ回路５に適用したものであり、図４（ｂ）は単相交流電力を出力するインバータ回路５ａに適用したものである。図４に示すように切替式リレー７０は、出力線の数、即ち、三相の場合に３つ、単相の場合に２つ有している。切替式リレー７０は、各接片の入力側接点と各入力側接点に対応する２つの出力側接点の内１つとを選択して接続することにより出力経路を切り替える。【００５３】
切替式リレー７０の各入力側接点には夫々の出力線Ｌｕ、Ｌｗ、Ｌｖ、Ｌ１、Ｌ２が接続され、２つの出力側接点の内一方には夫々商用電力系統３に接続される出力線Ｌｕ、Ｌｗ、Ｌｖ、Ｌ１、Ｌ２が接続される。また、２つの出力側接点の内他方には負荷１０に接続される配線Ｌａ、Ｌｂが接続され、切替式リレー７０の接片の接続先を切り替えることによりインバータ回路５により変換された交流電力の供給先を切り替えることができる。【００５４】
具体的に三相の場合は、出力線Ｌｕ、Ｌｗに接続される出力側接点に配線Ｌａ、Ｌｂが接続され、出力線Ｌｖに接続される出力側接点には何も接続されず開放状態になっている。自立運転時には、第１、第２アーム回路に接続される出力線Ｌｕ、Ｌｗから配線Ｌａ、Ｌｂに交流電力が供給される。単相の場合は、出力線Ｌ１、Ｌ２に接続される出力側接点に配線Ｌａ、Ｌｂが接続される。【００５５】
切替式リレー７０は、連系運転を行う場合にインバータ回路５と商用電力系統３とを接続するように、自立運転を行う場合など連系運転を行わない場合にインバータ回路５と負荷１０とを接続するように接片を切り替える。切替式リレー７０は、出力線Ｌｕ、Ｌｖ、Ｌｗ、Ｌ１、Ｌ２及び配線Ｌａ、Ｌｂに介在することになり、系統連系用リレーと自立運転用リレーを兼ねることになる。【００５６】
リレー７１は、出力線の本数と同じ本数の開閉式の接片を有し、これらの接片は、出力線Ｌｕ、Ｌｖ、Ｌｗ、Ｌ１、Ｌ２に介在している。リレー７１は、系統連系装置２と商用電力系統３及び負荷１０とを切り離すためのものである。リレー７１は、インバータ回路５が動作する際（連系運転時、及び自立運転時を含む）に出力線Ｌｕ、Ｌｖ、Ｌｗ、Ｌ１、Ｌ２を接続状態にし、インバータ回路５が停止する際に出力線Ｌｕ、Ｌｖ、Ｌｗ、Ｌ１、Ｌ２を開放状態にする。
【符号の説明】
【００５７】
１      太陽電池
２      系統連系装置
３      商用電力系統
４      昇圧回路
５      インバータ回路
６      フィルタ回路
７      系統連系用リレー
８      自立運転用リレー
９      制御回路
１０    負荷
【図１】
0005919483.tif 000002
【図２】
0005919483.tif 000003
【図３】
0005919483.tif 000004
【図４】
0005919483.tif 000005